(57)【要約】【課題】  タンス等の家具の転倒を防止することができる上にこの家具の上を有効にかつ見栄えよく利用することができる転倒防止家具を提供する。【解決手段】  タンス、キャビネット、食器棚等の家具と天井との間に設けられる転倒防止家具であって、前記家具の上面に載置され、前記天井の近傍に天板が位置されると共に開き扉を有する収納ボックスと、この収納ボックスの天板と前記天井の間に設けられ、前記天板に複数設けられた昇降部材により昇降されて前記天井に面接触される当接板と、前記収納ボックス内に設けられた係止片と、前記扉に設けられ、前記扉を閉めたときに前記係止片と係合する耐震ラッチとを備えたことにより、前記課題を解決した。【選択図】        図１
2007143767.tif 000002
【特許請求の範囲】
【請求項１】
タンス、キャビネット、食器棚等の家具と天井との間に設けられる転倒防止家具であって、
前記家具の上面に載置され、前記天井の近傍に天板が位置されると共に開き扉を有する収納ボックスと、
この収納ボックスの天板と前記天井の間に設けられ、前記天板に複数設けられた昇降部材により昇降されて前記天井に面接触される当接板と、
前記収納ボックス内に設けられた係止片と、
前記扉に設けられ、前記扉を閉めたときに前記係止片と係合する耐震ラッチとを備えたことを特徴とする、転倒防止家具。
【請求項２】
前記耐震ラッチが、扉に設けられ、前記扉の内面に取り付けられたケースと、このケースに出没可能に設けられ前記扉を閉めたときに前記係止片と係合する係合部材と、前記ケースに移動可能に設けられ、前記扉を貫通して前記扉の外面から突出した操作部を有し、この操作部を前記扉の外面から離間する方向に引っ張ったときに前記係合部材を移動させて前記係合部材と前記係止片との係合を解除させて前記扉を開く操作部材とを備えたことを特徴とする、請求項１に記載の転倒防止家具。
【請求項３】
前記当接板が、矩形平板状に形成され、この当接板の４隅近傍にそれぞれ前記昇降部材が当接し、これら４つの昇降部材が、前記収納ボックスの天板を螺合しつつ貫通し、この貫通した昇降部材を前記天板に対して回転させることにより前記当接板の位置を調節し得る螺合部材でそれぞれ形成されていることを特徴とする、請求項１又は２に記載の転倒防止家具。
【発明の詳細な説明】
【技術分野】
【０００１】
本発明は、タンス、キャビネット、食器棚等の家具の転倒を防止する転倒防止家具に関するものである。
【背景技術】
【０００２】
タンス、キャビネット、食器棚等の家具は、天井との間隔が１０ｃｍ以上になると、地震の強い揺れにより転倒する危険がおおいにある。家具の高さが天井と同じであれば家具が転倒しないが、天井と同じ高さの家具は注文家具でないとほとんどないのが現状である。このため、家具の上面に転倒防止具を設けることが提案されている（特許文献１参照。）。特許文献１に記載された転倒防止具は、スプリングの一端部を家具の上面に取り付けると共にスプリングの他端部を天井近傍の壁面に取り付けることにより、地震の揺れをスプリングの付勢力で吸収して家具の転倒を防止しようとするものである。また、家具の上面と天井との間に伸縮可能な支柱である転倒防止具を取り付けることにより、家具の転倒を防止することができる。
【特許文献１】特開平８−２１４９７１号公報
【発明の開示】
【発明が解決しようとする課題】
【０００３】
この特許文献１に記載された転倒防止具や支柱の転倒防止具は、いずれも家具の転倒を防止することができるものであった。しかし、家具と天井との間に設けられた転倒防止具が見えると、見栄えが悪い。また、家具と天井との間に大きな空間がある場合には、この家具の上に物を乗せたりすることがあるが、地震の強い揺れにより家具の上に乗せてある物が落ちたりして危険であるので、家具の上に物を乗せることができず、家具の上を有効に利用することができない。
【０００４】
本発明は、前記課題を解決するためになされたものであって、その目的は、タンス等の家具の転倒を防止することができる上にこの家具の上を有効にかつ見栄えよく利用することができる転倒防止家具を提供することにある。
【課題を解決するための手段】
【０００５】
前記の目的を達成するための本発明に係る転倒防止家具は、タンス、キャビネット、食器棚等の家具と天井との間に設けられる転倒防止家具であって、前記家具の上面に載置され、前記天井の近傍に天板が位置されると共に開き扉を有する収納ボックスと、この収納ボックスの天板と前記天井の間に設けられ、前記天板に複数設けられた昇降部材により昇降されて前記天井に面接触される当接板と、前記収納ボックス内に設けられた係止片と、前記扉に設けられ、前記扉を閉めたときに前記係止片と係合する耐震ラッチとを備えたことを特徴とする。
【０００６】
この発明によれば、タンス、キャビネット、食器棚等の家具の上に収納ボックスを載せ、当接板を天井に面接触させることにより、家具の転倒を防止することができる。また、収納ボックスに物を収納することができるので、家具の上を有効にかつ見栄えよく利用することができる。また、収納ボックスの扉には、耐震ラッチが設けられていることにより、地震等の揺れの際には、扉が開くことがないので収納ボックス内に収容した物が落ちたり飛び出たりすることがない。
【０００７】
本発明に係る転倒防止家具において、前記耐震ラッチが、扉に設けられ、前記扉の内面に取り付けられたケースと、このケースに出没可能に設けられ前記扉を閉めたときに前記係止片と係合する係合部材と、前記ケースに移動可能に設けられ、前記扉を貫通して前記扉の外面から突出した操作部を有し、この操作部を前記扉の外面から離間する方向に引っ張ったときに前記係合部材を移動させて前記係合部材と前記係止片との係合を解除させて前記扉を開く操作部材とを備えることが好ましい。また、本発明に係る転倒防止家具において、前記当接板が、矩形平板状に形成され、この当接板の４隅近傍にそれぞれ前記昇降部材が当接し、これら４つの昇降部材が、前記収納ボックスの天板を螺合しつつ貫通し、この貫通した昇降部材を前記天板に対して回転させることにより前記当接板の位置を調節し得る螺合部材でそれぞれ形成されていることが好ましい。
【発明の効果】
【０００８】
以上説明したように、本発明に係る転倒防止家具によれば、家具の上面に載置される収納ボックスと天井に面接触される当接板と収納ボックス内に設けられた係止片と扉に設けられた耐震ラッチとを備えたので、家具の転倒を防止することができると共に、家具の上を有効にかつ見栄えよく利用することができ、かつ、地震等の際には収納ボックス内に収容した物が落ちたり飛び出たりすることがない。
【発明を実施するための最良の形態】
【０００９】
以下、本発明に係る転倒防止家具を添付図面に基づいて詳述する。
【００１０】
図１は本発明に係る転倒防止家具の一例を示す図である。本発明に係る転倒防止家具は、図１に示すように、タンス、キャビネット、食器棚等の家具の転倒を防止するものである。転倒を防止する家具としては、特に限定されず、タンス、キャビネット、食器棚等である。本発明の形態においては、この家具として矩形箱状のタンンスについて説明するが、これに限定されるものではない。本発明に係る転倒防止家具は、タンス１０と天井１１との間に設けられるものであって、タンス１０の上面に載置され、天井１１の近傍に天板２１が位置されると共に開き扉２３、２４を有する収納ボックス２と、収納ボックス２の天板２１と天井１１の間に設けられ、天板２１に複数設けられた昇降部材３５により昇降されて天井１１に面接触される当接板３と、収納ボックス２内に設けられた係止片４と、扉２３、２４に設けられ、扉２３、２４を閉めたときに係止片４と係合する耐震ラッチ５とを備えたことに特徴がある。
【００１１】
収納ボックス２は、タンス１０の上に載置することができれば特に限定されず、例えば、タンス１０の上面と略同じ矩形箱状やタンス１０の上面より小さな矩形箱状等に形成されていることが好ましく、特にタンス１０の上面と略同じ矩形箱状に形成されていることが好ましい。また、収納ボックス２は、天板２１が天井１１の近傍であって天板２１と天井１１との間に当接板３が挿入され得る寸法で形成されていることが好ましい。
【００１２】
当接板３は、収納ボックス２の天板２１と略同じ矩形の平板状に形成されていることが好ましい。当接板３の上面には、滑り止め材（図示せず）が設けられていることが好ましい。当接板３の裏面の４隅近傍には、昇降部材３５が回転可能に取り付けられており、当接板３が４つの昇降部材３５によって支持されている。
【００１３】
昇降部材３５は、収納ボックス２の天板２１に取り付けられている。昇降部材３５としては、当接板３を昇降させることができれば特に限定されず、例えば、長ねじなどの螺合部材等が用いられる。昇降部材３５の上端部が当接板３に回転可能に取り付けられている。昇降部材３５は、収納ボックス２の天板２１に螺合されている。昇降部材３５は、天板２１を貫通する寸法の長さで形成されていることが好ましい。また、昇降部材３５の下端面には、例えば、プラスのドライバー等の工具で昇降部材３５を天板２１に対して回転させるための操作孔（図示せず）が設けられていることが好ましい。これにより、昇降部材３５を天板２１に対して回転させることで天板２１から上方に突出する昇降部材３５の長さが可変して当接板３の位置が調節され、当接板３を天井１１に面接触で当接させることができるようになっている。また、昇降部材３５の下端部には、キャップ３７が設けられていることが好ましい。これにより、収納ボックス２内に物を出し入れするとき等に昇降部材３５の下端部に物が接触しても物が傷つき難くなっている。
【００１４】
収納ボックス２内には、棚（図示せず）を設けてもよいし、設けなくてもよい。収納ボックス２の前面は、開放されており、この前面に開き扉２３、２４が開閉可能に設けられている。この扉は、例えば、観音開きする一対の扉２３、２４、すなわち、中央から両側に開閉するように形成された左右の扉２３、２４であることが好ましい。これら扉２３、２４の中央部側の上方の角の近傍には、磁力により吸着される例えば鉄製の略楕円状の保持板１５がそれぞれ取り付けられている。また、収納ボックス２の天板２１の下面の略中央部の前面近傍には、磁力により左右の扉２３、２４を保持する扉保持部材１６が取り付けられており、左右の扉２３、２４を閉じたときに左右の扉２３、２４の保持板１５が扉保持部材１６の磁力により吸着されて左右の扉２３、２４が閉じられた状態に保持されるようになっている。
【００１５】
また、収納ボックス２の底板２２の上面の略中央部の前面近傍であって左右の扉２３、２４のそれぞれの中央部側の下方の角の近傍に対応した箇所には、係止片４がそれぞれ設けられている。係止片４は、底板２２に例えばねじ等の螺合部材によって取り付けられる取付孔４２を有する略矩形平板状に形成されている。収納ボックス２の前面側の係止片４には、係合凹部４１が設けられている。
【００１６】
左右の扉２３、２４の裏面のそれぞれの中央部側の下方の角の近傍には、耐震ラッチ５がそれぞれ設けられている。耐震ラッチ５は、扉２３、２４を閉じたときに係止片４の係合凹部４１と係合して左右の扉２３、２４をロック状態で保持するものである。耐震ラッチ５は、特に限定されないが、図２及び図３に示すように、扉２３、２４の内面に取り付けられたケース５１と、このケース５１に出没可能に設けられ扉２３、２４を閉めたときに係止片４の係合凹部４１と係合する係合部材５２と、ケース５１に移動可能に設けられ、扉２３、２４を貫通して扉２３、２４の外面から突出した操作部５４を有し、この操作部５４を扉２３、２４の外面から離間する方向に引っ張ったときに係合部材５２を移動させて係合部材５２と係止片４との係合を解除させ扉２３、２４を開くための操作部材５３とを備えていることが好ましい。
【００１７】
ケース５１は、プラスチック等の合成樹脂を射出成形により略細長の矩形箱状に形成されている。このケース５１の上面及び一端面の略中央部から上端部までが開口されている。すなわち、ケース５１は、縦断面コ字状に形成されている。ケース５１内の他端面近傍には、スプリング収容部５８が設けられている。スプリング収容部５８の中央部がＵ字状に凹んでスプリングが収容されるようになっている。スプリング収容部５８の上面は、ケース５１の上端部より若干ケース５１内部に位置された箇所に位置されている。スプリング収容部５８の上面の２箇所には、装着孔５９が設けられている。
【００１８】
ケース５１内は、凹状であって底面が一端部と中央部との略中間から一端部までの深さが浅い２段に形成されている。ケース５１内の一端部側がガイド案内部６１として形成されていると共に、スプリング収容部５８側が動作部６２として形成されている。また、ケース５１の長手方向の略中央部には、下面から下方に突出する筒状のガイド部６３が設けられている。ガイド部６３の外形は円形状に形成されている。ガイド部の内形は矩形の４つの角部を切り欠いた略８角形状に形成されている。このガイド部６３は、動作部６２を貫通した状態で設けられている。
【００１９】
ガイド案内部６１の動作部６２側の端部の中央部には、高さ方向に突出する第１係合部６４が設けられている。第１係合部６４は、ガイド案内部６１の深さと略同じ長さの断面矩形状に形成されている。この第１係合部６４のガイド案内部６１側は、先端部の方の厚さが厚い段状に形成されて係合部６４ａとして形成されている。また、ガイド案内部６１の略中央部には、取付部６５が設けられている。取付部６５は、ケース５１の上端部より若干ケース５１内部に位置された箇所まで延びる寸法の長さに形成されている。この取付部６５は、外形が矩形状で内形が円形状の筒状に形成されていると共に、ガイド案内部６１（ケース５１の底面）を貫通している。ケース５１の上面は、蓋体５５によって閉塞される。
【００２０】
蓋体５５は、ケース５１の上面に嵌合され得る略矩形平板状に形成されている。蓋体５５の厚さは、ケース５１の上面に嵌合された際に裏面がスプリング収容部５８の上面及び取付部６５の先端面と接触すると共に表面がケース５１の上面として形成される寸法で形成されていることが好ましい。取付部６５の孔と対向する蓋体５５の箇所には、蓋体５５装着時に取付部６５の孔と略同軸上であって略同じ径の円形の貫通孔６６が設けられている。蓋体５５の裏面には、ケース５１のスプリング収容部５８に設けられている２つの装着孔５９に挿嵌される２つの突起６７が設けられていると共に、第２係合部６８が設けられており、蓋体５５をケース５１に装着したとき、突起６７が装着孔５９に挿嵌されると共に、第１係合部６４と第２係合部６８とが係合して蓋体５５がケース５１から外れ難い状態でケース５１に取り付けられるようになっている。また、蓋体５５には、操作部材５３及び長ネジ５７を挿通させる貫通孔６９が設けられている。
【００２１】
係合部材５２は、扉２３、２４を閉めたときに係止片４の係合凹部４１と係合するものであり、ケース５１に出没可能に設けられている。係合部材５２は、例えば、ケース５１内の動作部６２及びガイド案内部６１に嵌合して収容され得る略矩形枠状に形成されている。係合部材５２の両側部の下端部であってスプリング収容部５８側の端部から略中央部までの部分が下方に延びて動作部６２の底面に摺動し得るように摺動部７１がそれぞれ設けられている。摺動部７１の長さ（長手方向の長さ）は、係合部材５２がケース５１から突出する長さを決めるものでありこの突出する長さに応じて任意に決められる。係合部材５２の高さは、上端部がガイド部６３の先端面より若干ケース５１内に位置される寸法で形成されていることが好ましい。
【００２２】
係合部材５２内は、係合部材５２をケース５１内に没入状態で収容したとき、動作部６２に対応する箇所が幅広く、ガイド案内部６１に対応する箇所が取付部６５の幅より若干広い寸法の幅狭の略凸状に形成されている。この係合部材５２内の幅狭の部分がスライドガイド部７２として形成され、このスライドガイド部７２の端部に取付部６５が接触している状態がケース５１内に没している没状態であり、係合部材５２の一端部がケース５１の一端部の開口部から突出して摺動部７１がケース５１の底面の段部に接触している状態が突状態であり、この没状態から突状態までの間で係合部材５２がケース５１に対して摺動し得るようになっている。突状態におけるケース５１から突出する係合部材５２の一端部である先端部は、上面側が傾斜した略三角状に形成されて係合部７４として形成されている。また、係合部材５２内の幅広の部分が部材挿入部７３として形成されている。
【００２３】
また、係合部材５２の他端面には、付勢部材である例えばコンプレッションスプリング５６の一端部が支持される突状のスプリング支持部７５が設けられている。コンプレッションスプリング５６の他端部及びその周辺部は、スプリング収容部５８に収容されており、コンプレッションスプリング５６によって係合部材５２の係合部７４がケース５１から突出する方向に付勢されるようになっている。
【００２４】
操作部材５３は、ガイド部６３内に挿嵌される操作基部７７と、操作基部７７の一端部である先端部に取り付けられる操作部５４とからなることが好ましい。操作基部７７は、筒状に形成されている。操作基部７７の外形のガイド部６３に対応する箇所は、ガイド部６３の内形に回転することなく挿嵌されるように矩形の４つの角部を切り欠いた略８角形状に形成されている。操作基部７７の他端部には、ガイド部６３内を操作基部７７が抜け出ないようにするフランジ部７８が設けられている。この操作基部７７には、操作部５４を取り付けるための例えば長ネジ５７が挿入される。長ネジ５７の先端部は操作基部７７から突出し、この突出した長ネジ５７に操作部５４が螺合されて取り付けられる。操作部５４は、螺合部８１と球面状の摘み部８２とからなることが好ましい。これにより、操作部材５３は、ケース５１のガイド部６３に沿って移動可能に取り付けられることになる。
【００２５】
ケース５１の動作部６２内には、作動部材８５が移動可能に設けられている。作動部材８５は、側面が上端部の長さが長い台形状に形成されている。作動部材８５の幅は、動作部６２の幅より若干短い寸法で形成されていることが好ましい。作動部材８５の高さは、動作部６２の高さの略半分の寸法で形成されていることが好ましい。作動部材８５の上面の長さ（長手方向の長さ）は、操作部材５３の動作部６２の長さ（長手方向の長さ）の略２／３の寸法であって係合部材５２が突状態のときに係合部材５２の動作部６２に対応する部分を閉塞するような寸法で形成されていることが好ましい。作動部材８５には、高さ方向に貫通する係合孔８６が設けられている。係合孔８６は、操作部材５３が挿入され得る幅の略長円状に形成されている。この係合孔８６は、作動部材８５の略中央部からケース５１の一端部近傍にかけて設けられている。
【００２６】
この作動部材８５とケース５１の動作部６２底面と操作部材５３との間には、操作部材５３の移動に伴って係合部材５２を移動させるための滑動部材８８が設けられている。滑動部材８８は、鋼材等の金属により円柱状に形成されている。滑動部材８８は、作動部材８５の両傾斜面に接触し得るように２つ設けられている。滑動部材８８の長さ（軸方向の長さ）は、操作部材５３間の寸法より若干短い寸法で形成されている。また、滑動部材８８の径は、係合部材５２が突状態のときに作動部材８５の下面近傍の傾斜面に接すると共に、係合部材５２が没状態のときに作動部材８５の上面近傍の傾斜面に接するような寸法で形成されていることが好ましい。
【００２７】
２つの滑動部材８８の１つは、操作部材５３の一端部側の動作部６２内に設けられてほとんど移動することがなく、残りの１つ（第２滑動部材８８ということがある。）は係合部材５２内の他端部側に位置されて係合部材５２と共に動作部６２内を移動するようになっている。すなわち、コンプレッションスプリング５６の付勢力により係合部７４が突出している突状態のときに２つの滑動部材８８が作動部材８５の下面近傍の傾斜面に接し、この状態から操作部材５３の掴み部８２をケース５１から離間する方向に引っ張ると、作動部材８５がケース５１内の深さ方向下方に移動しつつその長手方向にスライドする。このとき、滑動部材８８は作動部材８５の傾斜面をその上面方向に摺動しつつ第２滑動部材８８が動作部６２内の他端側に移動して係合部材５２を没方向にスライド移動させ、係合部材５２がケース５１内に没入すると、係合部材５２が取付部６５に当接して係合部材５２のスライド移動が止まるように構成されている。また、係合部材５２がケース５１内に没入した没状態から摘み部８２への引っ張り力を解除すると、係合部材５２は、コンプレッションスプリング５６の付勢力により係合部７４が突出する方向にスライド移動して第２滑動部材８８を一端部側に移動させ、これにより、滑動部材８８が作動部材８５の傾斜面をその下面から上面方向に摺動しつつ作動部材８５をケース５１の底面から押し上げると共に操作部材５３を移動させるように構成されている。
【００２８】
この耐震ラッチ５を取り付けるには、まず、操作部５４が取り付けられていない状態で扉２３、２４の裏面にその貫通孔２５にガイド部６３を挿通させ、例えばネジ２９を蓋体５５の貫通孔６６及びケース５１の取付部６５を介して扉２３、２４に螺合させて締め付ける。操作部材５３内に長ネジ５７を挿通させて扉２３、２４の表面から突出する長ネジ５７に操作部５４を螺合させることで、耐震ラッチ５が扉２３、２４に取り付けられる。
【００２９】
次に本発明に係る転倒防止家具１を設置するには、まず、タンス１０の上面に載置したときに、当接板３が天井１１に接しないようにしてから、この転倒防止家具１をタンス１０の上面に載置する。載置後、扉２３、２４を開けて収納ボックス２内の上方に突出している昇降部材３５の下端部からキャップ３７を取り外す。プラスのドライバー等の工具を用いて各昇降部材３５を天板２１に対して回転させ、当接板３を天井１１に面接触状態で当接させる。この当接板３の天井１１への当接は、４つの昇降部材３５を個別に操作して当接板３が天井１１に略均一に当接されるようにすることが好ましい。
【００３０】
これにより、地震等により揺れてもタンス１０が倒れることがなく、タンス１０である家具の転倒を防止することができる。また、４つの昇降部材３５で当接板３を天井１１に当接させるために、タンス１０の転倒を確実に防止することができる。また、当接板３を天井１１に面接触させているために、天井１１の耐性が弱い場合でも安定して天井１１とタンス１０との間に本発明に係る転倒防止家具１を設置することができる。
【００３１】
また、本発明に係る転倒防止家具１は、タンス１０と天井１１との隙間を埋めるために、美観の向上を図れる。また、収納ボックス２に物を収納することができるので、タンス１０の上を有効に利用することができる。この収納ボックス２の扉２３、２４には、耐震ラッチ５が設けられているので、地震等の揺れの際には、扉２３、２４が開くことがないので収納ボックス２内に収容した物が落ちたり飛び出たりすることがない。
【００３２】
扉２３、２４を開く場合には、摘み部８２を扉２３、２４から離間する方向に引っ張れば、操作部材５３の移動に伴って係合部材５２（係合部７４）がケース５１内に没入する方向に移動し、係合部材５２の係合部７４と係止片４との係合が解除され、扉２３、２４が開く。このように、摘み部８２を引っ張るだけの１つの操作で扉２３、２４を開くことができるので、操作性が良い。また、開いた扉２３、２４を閉めると、係合部材５２の係合部７４が係止片４の係合凹部４１を形成する壁部４３と接触してコンプレッションスプリング５６の付勢力により係合部７４が没する方向に係合部材５２が移動し、その係合部７４が壁部４３を超えると、コンプレッションスプリング５６の付勢力により係合部７４が突出する方向に係合部材５２が移動して係合部７４と係合凹部４１とが係合し、左右の扉２３、２４がロック状態で保持される。このように、扉２３、２４を閉めるだけで扉２３、２４をロック状態で保持することができるので、操作性が良い。
【００３３】
したがって、本発明に係る転倒防止家具１は、タンス１０の転倒を防止することができると共に、タンス１０の上を有効にかつ見栄えよく利用することができ、かつ、地震等の際には収納ボックス２内に収容した物が落ちたり飛び出たりすることがない。
【産業上の利用可能性】
【００３４】
以上説明したように本発明に係る転倒防止家具は、家具の上面に載置される収納ボックスと天井に面接触される当接板と収納ボックス内に設けられた係止片と扉に設けられた耐震ラッチとを備えたので、家具の転倒を防止することができると共に、家具の上を有効にかつ見栄えよく利用することができ、かつ、地震等の際には収納ボックス内に収容した物が落ちたり飛び出たりすることがないことから、家具の転倒を防止するものとしては最適なものである。
【図面の簡単な説明】
【００３５】
【図１】本発明に係る転倒防止家具の一例を示す斜視図である。
【図２】本発明に係る耐震ラッチの一例を示す断面図で、(ａ)は耐震ラッチと係止片とが係合状態を示す図、（ｂ）は耐震ラッチと係止片とが非係合状態を示す図でる。
【図３】本発明に係る耐震ラッチの一例を示す分解側面図である。
【符号の説明】
【００３６】
１  転倒防止家具
２  収納ボックス
３  当接板
４  係止片
５  耐震ラッチ
１０  タンス
１１  天井
２１  天板
２２  底板
２３、２４  扉
３５  昇降部材
４１  係合凹部
５１  ケース
５２  係合部材
５３  操作部材
５４  操作部
【図１】
2007143767.tif 000003
【図２】
2007143767.tif 000004
【図３】
2007143767.tif 000005